(57)【特許請求の範囲】
【請求項１】
系統ごとの複数の表示項目で構成される全体プロセス監視用画面の下位に、前記系統ごとの複数のプロセス監視用画面が複数の階層レベルにわたって接続され、運転員の要求に基づいて任意のプロセス監視用画面を選択し表示するプロセス監視用画面選択装置において、
前記プロセス監視用画面を表示する表示装置と、
発生した警報の情報を発生順序とともに記憶する警告情報記憶手段と、
前記表示装置の画面上に前記全体プロセス監視用画面が表示されているとき、前記表示装置の画面上への接触を検出する入力装置と、
前記入力装置からの信号に基づいて、前記表示装置の画面上への接触点にあたる前記全体プロセス監視用画面の表示項目を判定してこの表示項目に対応する系統を判定するとともに、前記画面への接触の継続時間を算出してこの算出された接触の継続時間に応じて、前記判定された系統のうち前記表示装置に表示すべきプロセス監視用画面の階層レベルを判定し、この判定した階層レベルと前記警告情報記憶手段に記憶された情報とに基づいて、前記表示装置に表示すべきプロセス監視用画面を選択する画面選択手段とを具備することを特徴とするプロセス監視用画面選択装置。
【請求項２】
系統ごとの複数の表示項目で構成される全体プロセス監視用画面の下位に、前記系統ごとの複数のプロセス監視用画面が複数の階層レベルにわたって接続され、運転員の要求に基づいて任意のプロセス監視用画面を選択し表示するプロセス監視用画面選択装置において、
前記プロセス監視用画面を表示する表示装置と、
発生した警報の情報を発生順序とともに記憶する警告情報記憶手段と、
前記表示装置の画面上に前記全体プロセス監視用画面が表示されているとき、前記表示装置の画面上への接触を検出する入力装置と、
前記入力装置からの信号に基づいて、前記表示装置の画面上への接触点にあたる前記全体プロセス監視用画面の表示項目を判定してこの表示項目に対応する系統を判定するとともに、前記画面上での接触の移動距離を算出してこの算出された接触の移動距離に応じて、前記判定された系統のうち前記表示装置に表示すべきプロセス監視用画面の階層レベルを判定し、この判定した階層レベルと前記警告情報記憶手段に記憶された情報とに基づいて、前記表示装置に表示すべきプロセス監視用画面を選択する画面選択手段とを具備することを特徴とするプロセス監視用画面選択装置。
【請求項３】
系統ごとの複数の表示項目で構成される全体プロセス監視用画面の下位に、前記系統ごとの複数のプロセス監視用画面が複数の階層レベルにわたって接続され、運転員の要求に基づいて任意のプロセス監視用画面を選択し表示するプロセス監視用画面選択装置において、
前記プロセス監視用画面を表示する表示装置と、
発生した警報の情報を発生順序とともに記憶する警告情報記憶手段と、
前記表示装置の画面上に前記全体プロセス監視用画面が表示されているとき、前記表示装置の画面上への接触を検出する入力装置と、
前記入力装置からの信号に基づいて、前記表示装置の画面上への接触点にあたる前記全体プロセス監視用画面の表示項目を判定してこの表示項目に対応する系統を判定するとともに、前記画面上での一定時間内の接触回数を算出してこの算出された一定時間内の接触回数に応じて、前記判定された系統のうち前記表示装置に表示すべきプロセス監視用画面の階層レベルを判定し、この判定した階層レベルと前記警告情報記憶手段に記憶された情報とに基づいて、前記表示装置に表示すべきプロセス監視用画面を選択する画面選択手段とを具備することを特徴とするプロセス監視用画面選択装置。
【請求項４】
系統ごとの複数の表示項目で構成される全体プロセス監視用画面の下位に、前記系統ごとの複数のプロセス監視用画面が複数の階層レベルにわたって接続され、運転員の要求に基づいて任意のプロセス監視用画面を選択し表示するプロセス監視用画面選択装置において、
前記プロセス監視用画面を表示する表示装置と、
発生した警報の情報を発生順序とともに記憶する警告情報記憶手段と、
前記表示装置の画面上に前記全体プロセス監視用画面が表示されているとき、前記表示装置の画面上への接触を検出する入力装置と、
前記入力装置からの信号に基づいて、前記表示装置の画面上への接触点にあたる前記全体プロセス監視用画面の表示項目を判定してこの表示項目に対応する系統を判定するとともに、前記画面上での複数の接触点の位置座標により形成される図形の面積を算出してこの算出された面積に応じて、前記判定された系統のうち前記表示装置に表示すべきプロセス監視用画面の階層レベルを判定し、この判定した階層レベルと前記警告情報記憶手段に記憶された情報とに基づいて、前記表示装置に表示すべきプロセス監視用画面を選択する画面選択手段とを具備することを特徴とするプロセス監視用画面選択装置。
【請求項５】
系統ごとの複数の表示項目で構成される全体プロセス監視用画面の下位に、前記系統ごとの複数のプロセス監視用画面が複数の階層レベルにわたって接続され、運転員の要求に基づいて任意のプロセス監視用画面を選択し表示するプロセス監視用画面選択装置において、
前記プロセス監視用画面を表示する表示装置と、
発生した警報の情報を発生順序とともに記憶する警告情報記憶手段と、
前記表示装置の画面上に前記全体プロセス監視用画面が表示されているとき、前記表示装置の画面上への接触を接触圧力とともに検出する入力装置と、
前記入力装置からの信号に基づいて、前記表示装置の画面上への接触点にあたる前記全体プロセス監視用画面の表示項目を判定してこの表示項目に対応する系統を判定するとともに、前記画面上への接触圧力を算出してこの算出された接触圧力に応じて、前記判定された系統のうち前記表示装置に表示すべきプロセス監視用画面の階層レベルを判定し、この判定した階層レベルと前記警告情報記憶手段に記憶された情報とに基づいて、前記表示装置に表示すべきプロセス監視用画面を選択する画面選択手段とを具備することを特徴とするプロセス監視用画面選択装置。
【請求項６】
前記画面選択手段は、前記プロセス監視用画面の階層構造上の絶対的な階層レベルを指定するレベル指定ルールに従って、前記表示すべきプロセス監視用画面の階層レベルを判定することを特徴とする請求項１ないし５のいずれか１項記載のプロセス監視用画面選択装置。
【請求項７】
前記画面選択手段は、現在表示されているプロセス監視用画面の階層構造上の階層レベルに対する相対的な階層レベルを指定するレベル指定ルールに従って、前記表示すべきプロセス監視用画面の階層レベルを判定することを特徴とする請求項１ないし５のいずれか１項記載のプロセス監視用画面選択装置。
【発明の詳細な説明】
【０００１】
【産業上の利用分野】
本発明はプラントのプロセス監視を行う監視システムにおいて、階層構造に構築された多数の画面から所望の画面を選択し表示装置に表示するプロセス監視用画面選択装置に関する。
【０００２】
【従来の技術】
従来、プラントのプロセス監視に、ＣＲＴディスプレイ、ＬＥＤ表示装置、プラズマディスプレイ、液晶表示装置などの表示装置が多く用いられており、プロセス状態を表す多数の画面をこの表示装置上に表示して監視するプラントが多くある。
【０００３】
表示装置によるプロセス監視には、多数の画面をひとつの表示装置に切り替えて表示する必要があり、表示したい画面を選択する手段としては、マトリクス配置されたキースイッチの押し下げが最も初期からの方法として挙げられる。さらに、計算機周辺デバイスの発達により、画面上の位置をタッチスクリーン、ライトペンなどで入力することが可能となり、画面に表示されている図形を指先やライトペンでタッチして、次の表示画面を選択する方式が使われるようになった。
【０００４】
近年では、計算機技術の分野では、タブレット、トラッカボール、マウスなどの位置入力装置が用いられており、計算機応用のソフトウェアアプリケーションでは、これらの位置入力装置が多く用いられるようになった。これらの位置入力装置は、画面上に位置を示すカーソルを表示し、位置入力装置から位置の移動信号や絶対位置を入力して画面上のカーソルを動かし、ボタンなどの押し下げで位置の選択を入力する機構となっており、画面上の正確な位置座標の入力や、短時間での複数の位置選択の入力が可能であり、ソフトウェアアプリケーションのマンマシンインターフェースとして有効なものとなっている。
【０００５】
しかしながら、プロセスプラントの監視画面の選択のためには、タブレット、トラッカボール、マウスなどのカーソルによる位置入力装置は、稀に利用されることもあるが、タッチスクリーン、ライトペンなど、画面上の図形に直接接触して位置を入力する装置が多く用いられている。プロセスプラントの監視は、計算機アプリケーションの利用者と異なり、カーソルによる位置入力装置に馴れることは難しく、また、１つの選択動作としては、図形に直接接触して位置を入力する装置の方が迅速な選択という点で優れていることがこの理由である。
【０００６】
また、プロセスプラントに用いる装置としては、信頼性が重要な選択要因であり、マウスやタブレットのような通信線を操作卓表面に設置せざるを得ない装置や、位置を入力するための機構に可動部分が多いタブレット、トラッカボール、マウスなどの入力装置は設置し難い。
【０００７】
【発明が解決しようとする課題】
プロセスプラントの監視画面の選択のためには、画面に表示されている図形に直接接触して位置を入力し、次の表示画面を選択する方式が主に使われるが、これらの方式は、画面に接触せずにカーソルを移動させて位置を入力する装置に比べ、画面上の正確な位置座標の入力や、短時間での複数の位置選択の入力が困難である。このため、最近のソフトウェアアプリケーション技術で多く用いられている表示図形から多段階のメニュー選択を経て次に表示する画面を選択するような場合、画面に表示されている図形に直接接触して位置を入力する方式は、操作の手間が多くなり、迅速な画面選択ができないため、プロセスプラントの監視画面の選択のためには不向きとなっている。
【０００８】
しかしながら、ハードウェアで直接駆動するランプ、メーター等は、ソフトウェアで駆動される監視画面に置き換えられる傾向があり、計算機利用技術の進歩とともに、表示装置に表示可能な画面の数がますます多くなり、それらの表示画面を選択する有効な手段が必要とされている。
【０００９】
多数の画面を、監視対象とするプラントのプロセスの範囲、情報の集約化の度合いなどで、階層化し、その階層体系に沿って、現在表示している画面から次に表示する画面を選択するやり方は、情報の整理、人間の注目の焦点の変移の仕方に適っている等の点で有効な方式であり、既に採用されている。
【００１０】
しかしながら、欲しい情報を表示するときに、画面の階層体系を順次たどる選択が必要となる場合があり、次々と画面を表示して途中の不要な画面も表示しなければならないといった不都合も起こる。
【００１１】
カーソルによる位置入力装置を用いれば、細かい図形の位置を選択することが可能で、メニューの多段選択も組合せて、階層体系化された画面から階層を順次たどらずに、表示したい画面を迅速に表示することが可能であるが、表示されている図形に直接接触して位置を入力する方式ではそのような選択の仕方は困難であり、メニューの多段選択などは、正確かつ迅速にはできない。
【００１２】
本発明は、上記の問題を解決するために、階層体系化された多数のプロセス監視用画面から、信頼性、迅速性に優れたタッチスクリーン、ライトペンなどの画面上の図形表示領域への直接の接触によって選択情報を指示することにより、階層を順次たどらずに、表示したい画面を迅速に表示を可能とするプロセス監視用画面選択装置を提供することを目的とする。
【００１３】
【課題を解決するための手段】
すなわち、請求項１の発明は、系統ごとの複数の表示項目で構成される全体プロセス監視用画面の下位に、系統ごとの複数のプロセス監視用画面が複数の階層レベルにわたって接続され、運転員の要求に基づいて任意のプロセス監視用画面を選択し表示するプロセス監視用画面選択装置において、プロセス監視用画面を表示する表示装置と、発生した警報の情報を発生順序とともに記憶する警告情報記憶手段と、表示装置の画面上に全体プロセス監視用画面が表示されているとき、表示装置の画面上への接触を検出する入力装置と、入力装置からの信号に基づいて、表示装置の画面上への接触点にあたる全体プロセス監視用画面の表示項目を判定してこの表示項目に対応する系統を判定するとともに、画面への接触の継続時間を算出してこの算出された接触の継続時間に応じて、判定された系統のうち表示装置に表示すべきプロセス監視用画面の階層レベルを判定し、この判定した階層レベルと警告情報記憶手段に記憶された情報とに基づいて、表示装置に表示すべきプロセス監視用画面を選択する画面選択手段とを備えたことを特徴とする。
【００１４】
また、請求項２の発明は、系統ごとの複数の表示項目で構成される全体プロセス監視用画面の下位に、系統ごとの複数のプロセス監視用画面が複数の階層レベルにわたって接続され、運転員の要求に基づいて任意のプロセス監視用画面を選択し表示するプロセス監視用画面選択装置において、プロセス監視用画面を表示する表示装置と、発生した警報の情報を発生順序とともに記憶する警告情報記憶手段と、表示装置の画面上に前記全体プロセス監視用画面が表示されているとき、表示装置の画面上への接触を検出する入力装置と、入力装置からの信号に基づいて、表示装置の画面上への接触点にあたる全体プロセス監視用画面の表示項目を判定してこの表示項目に対応する系統を判定するとともに、画面上での接触の移動距離を算出してこの算出された接触の移動距離に応じて、判定された系統のうち表示装置に表示すべきプロセス監視用画面の階層レベルを判定し、この判定した階層レベルと警告情報記憶手段に記憶された情報とに基づいて、表示装置に表示すべきプロセス監視用画面を選択する画面選択手段とを備えたことを特徴とする。
【００１５】
また、請求項３の発明は、系統ごとの複数の表示項目で構成される全体プロセス監視用画面の下位に、系統ごとの複数のプロセス監視用画面が複数の階層レベルにわたって接続され、運転員の要求に基づいて任意のプロセス監視用画面を選択し表示するプロセス監視用画面選択装置において、プロセス監視用画面を表示する表示装置と、発生した警報の情報を発生順序とともに記憶する警告情報記憶手段と、表示装置の画面上に全体プロセス監視用画面が表示されているとき、表示装置の画面上への接触を検出する入力装置と、入力装置からの信号に基づいて、表示装置の画面上への接触点にあたる全体プロセス監視用画面の表示項目を判定してこの表示項目に対応する系統を判定するとともに、画面上での一定時間内の接触回数を算出してこの算出された一定時間内の接触回数に応じて、判定された系統のうち表示装置に表示すべきプロセス監視用画面の階層レベルを判定し、この判定した階層レベルと警告情報記憶手段に記憶された情報とに基づいて、表示装置に表示すべきプロセス監視用画面を選択する画面選択手段とを備えたことを特徴とする。
【００１６】
また、請求項４の発明は、系統ごとの複数の表示項目で構成される全体プロセス監視用画面の下位に、系統ごとの複数のプロセス監視用画面が複数の階層レベルにわたって接続され、運転員の要求に基づいて任意のプロセス監視用画面を選択し表示するプロセス監視用画面選択装置において、プロセス監視用画面を表示する表示装置と、発生した警報の情報を発生順序とともに記憶する警告情報記憶手段と、表示装置の画面上に全体プロセス監視用画面が表示されているとき、表示装置の画面上への接触を検出する入力装置と、入力装置からの信号に基づいて、表示装置の画面上への接触点にあたる全体プロセス監視用画面の表示項目を判定してこの表示項目に対応する系統を判定するとともに、画面上での複数の接触点の位置座標により形成される図形の面積を算出してこの算出された面積に応じて、判定された系統のうち表示装置に表示すべきプロセス監視用画面の階層レベルを判定し、この判定した階層レベルと警告情報記憶手段に記憶された情報とに基づいて、表示装置に表示すべきプロセス監視用画面を選択する画面選択手段とを備えたことを特徴とする。
【００１７】
また、請求項５の発明は、系統ごとの複数の表示項目で構成される全体プロセス監視用画面の下位に、系統ごとの複数のプロセス監視用画面が複数の階層レベルにわたって接続され、運転員の要求に基づいて任意のプロセス監視用画面を選択し表示するプロセス監視用画面選択装置において、プロセス監視用画面を表示する表示装置と、発生した警報の情報を発生順序とともに記憶する警告情報記憶手段と、表示装置の画面上に前記全体プロセス監視用画面が表示されているとき、表示装置の画面上への接触を接触圧力とともに検出する入力装置と、入力装置からの信号に基づいて、表示装置の画面上への接触点にあたる全体プロセス監視用画面の表示項目を判定してこの表示項目に対応する系統を判定するとともに、画面上への接触圧力を算出してこの算出された接触圧力に応じて、判定された系統のうち表示装置に表示すべきプロセス監視用画面の階層レベルを判定し、この判定した階層レベルと警告情報記憶手段に記憶された情報とに基づいて、表示装置に表示すべきプロセス監視用画面を選択する画面選択手段とを備えたことを特徴とする。
【００１８】
また、請求項６の発明は、上記構成のプロセス監視用画面選択装置において、画面選択手段は、階層構造上の絶対的な階層レベルを指定するレベル指定ルールに従って、表示すべきプロセス監視用画面を選択することを特徴とする。
【００１９】
また、請求項７の発明は、上記構成のプロセス監視用画面選択装置において、画面選択手段は、現在表示されている画面の階層構造上の階層レベルに対する相対的な階層レベルを指定するレベル指定ルールに従って、表示すべきプロセス監視用画面を選択することを特徴とする。
【００２１】
【作用】
請求項１の発明の構成において、表示装置に表示されている監視画面からある別の監視画面に表示切替えしたいとき、運転員は現在表示されている画面から表示したい画面に関連する表示項目を選び、タッチスクリーンやライトペン等の入力装置を介して直接タッチするとともに、表示したい画面の階層レベルに対応してあらかじめレベル指定ルールに設定された時間タッチし続ける。入力装置は運転員がタッチしている間、その接触点の画面上の位置情報を含む接触データを周期的に発生する。画面選択手段は、それらの接触データからなる接触信号群に基づいて接触位置および接触継続時間を割り出し、タッチされた表示項目および接触継続時間により指定された階層レベルを判定し、表示すべき監視画面を選択して表示手段を介して表示装置に出力する。
【００２２】
請求項２の発明の構成においては、運転員は、現在表示されている画面上の表示したい画面に関連する表示項目にタッチするとともに、表示したい画面の階層レベルに対応してあらかじめレベル指定ルールに設定された距離分接触点を移動する。その間入力装置はその接触点の画面上の位置情報を含む接触データを周期的に発生する。画面選択手段は、それらの接触データからなる接触信号群に基づいて接触位置および接触移動距離を割り出し、タッチされた表示項目および接触移動距離により指定された階層レベルを判定し、表示すべき監視画面を選択して表示手段を介して表示装置に出力する。
【００２３】
請求項３の発明の構成においては、運転員は、現在表示されている画面上の表示したい画面に関連する表示項目にタッチするとともに、表示したい画面の階層レベルに対応してあらかじめレベル指定ルールに設定された接触回数だけ所定時間内にタッチする。入力装置はその接触点の画面上の位置情報を含む接触データを接触回数に応じて発生する。画面選択手段は、それらの接触データからなる接触信号群に基づいて接触位置および接触回数を割り出し、タッチされた表示項目および接触回数により指定された階層レベルを判定し、表示すべき監視画面を選択して表示手段を介して表示装置に出力する。
【００２４】
請求項４の発明の構成においては、運転員は、現在表示されている画面上の表示したい画面に関連する表示項目にタッチするとともに、表示したい画面の階層レベルに対応してあらかじめレベル指定ルールに設定された所定図形の面積となるように接触点で描画する。その間入力装置はその接触点の画面上の位置情報を含む接触データを周期的に発生する。画面選択手段は、それらの接触データからなる接触信号群に基づいて接触位置および接触点の描画により規定される所定図形の面積を割り出し、タッチされた表示項目および所定図形の面積により指定された階層レベルを判定し、表示すべき監視画面を選択して表示手段を介して表示装置に出力する。
【００２５】
請求項５の発明の構成においては、運転員は、現在表示されている画面上の表示したい画面に関連する表示項目にタッチするとともに、表示したい画面の階層レベルに対応してあらかじめレベル指定ルールに設定された圧力で押圧する。入力装置はその接触点の画面上の位置情報および接触圧力情報を含む接触データを周期的に発生する。画面選択手段は、それらの接触データからなる接触信号群に基づいて接触位置および接触圧力を割り出し、タッチされた表示項目および接触圧力により指定された階層レベルを判定し、表示すべき監視画面を選択して表示手段を介して表示装置に出力する。
【００２６】
以上により、階層構造の画面体系をもつプロセス監視画面に対して、表示中画面への直接のタッチにより、所望監視画面を一度の操作で容易に選択することができ、画面選択の効率化を実現し、プロセス運転の迅速化を図ることができる。
【００２７】
【実施例】
以下、図面に基づいて本発明の実施例を説明する。なお、以下に示す実施例においては、階層的な体系を持つ警報監視画面を選択する場合を例に挙げて説明する。
【００２８】
図１は、本発明のプロセス監視用画面選択装置の第１の実施例の構成を示すもので、ＣＲＴディスプレイ、ＬＥＤ表示装置、プラズマディスプレイ、液晶表示装置等の表示装置１１と、表示装置１１の画面にタッチして次の表示画面を選択するための情報を入力するタッチスクリーン、ライトペン等の入力装置１３と、入力装置１３からの接触信号群を入力する接触信号入力手段１５と、接触信号入力手段１５により入力した接触信号群に基づいて、タッチされた画面上の表示項目および選択すべき監視画面の階層構造上の階層レベルを判定し、階層構造に体系化されている多数の監視画面から該当する監視画面を選択する画面選択手段１７と、この画面選択手段１７によって選択された監視画面を表示装置１１に出力する表示手段１９とで構成される。
【００２９】
図２は、階層的に体系化されている画面の階層構造例を示すもので、符号２１は最上位にある階層レベル１の画面の集合、２３は階層レベル１の下位の階層レベル２の画面の集合、２５は階層レベル２の下位の階層レベル３の画面の集合をそれぞれ示し、階層間の接続関係を双方向の矢印で示している。
【００３０】
次に、本実施例の作用を図３に示すフローチャートに従って説明する。
【００３１】
表示装置１１には、プロセス監視のための画面Ａが表示されている（ステップ１００）。この画面Ａから階層レベルｋの画面Ｃを表示させたいとき、運転員は画面Ａの要素で、画面Ｃに関連する表示項目に入力装置１３を介してレベルｋに対応する時間継続してタッチする。
【００３２】
運転員が画面にタッチしている間、入力装置１３からタッチした画面上の位置を示す接触信号群が接触信号入力手段１５に入力される（ステップ１０１）。
【００３３】
画面選択手段１７は、接触信号入力手段１５に入力された接触信号群の位置座標群から画面上の単一座標を判断し（ステップ１０２）、この単一座標を含む画面Ａ上の表示項目を識別することにより、階層構造の枝すなわち画面Ａの下位の画面を選択する（ステップ１０３）。ついで、接触信号群から画面への接触時間を判断し（ステップ１０４）、予め設定しておいた接触時間による階層レベルの指定ルールに基づいて階層構造の階層レベルを選択する（ステップ１０５）ことによって、表示画面Ｇを決定する（ステップ１０６）。
【００３４】
表示手段１９は、画面選択手段１７によって選択された画面Ｇを表示装置１１へ表示する（ステップ１０７）。
【００３５】
さらに、階層構造に体系化されている画面として沸騰水型原子力発電プラントにおける警報監視画面を例に挙げて本実施例をより詳細に説明する。
【００３６】
沸騰水型原子力発電プラントにおける警報監視画面の階層構造は、図４に示すように、階層レベル１に図５に例示されるようなプラント警報全体表示画面３１、階層レベル２に図６に例示されるような給水系警報表示画面３３等の系統警報表示画面群、階層レベル３に図７に例示される RFP-T A/Bトリップ警報画面３５等の個別警報情報画面群を持ち、階層間の接続関係が定められている。
【００３７】
図５に示すプラント警報全体表示画面３１では、警報の発生している系統に対応する四角いボックス（表示項目）が強調表示される。また、図６に示す給水系警報表示画面３３のような系統警報表示画面では、発生している警報の四角いボックス（表示項目）が強調表示される。
【００３８】
ここでは、図８に示す装置構成で説明する。すなわち、表示装置１１にＣＲＴ表示装置１１ａ、入力装置１３にタッチスクリーン装置１３ａを用い、接触信号入力手段１５、画面選択手段１７および表示手段１９はプロセス計算機４１にて実施する。
【００３９】
この構成において、タッチスクリーン装置１３ａからプロセス計算機４１へ信号が入力され、プロセス計算機４１からの信号でＣＲＴ表示装置１１ａはプロセス監視画面を表示する。ＣＲＴ表示装置１１ａの画面表面にはタッチスクリーン装置１３ａのシ−トが設置され、運転員に画面上の位置とタッチ位置との対応がわかるようになっている。
【００４０】
接触信号入力手段１５は、タッチスクリーン装置１３ａから運転員の継続したタッチによる接触信号群を入力し、画面選択手段１７に渡す。
【００４１】
画面選択手段１７は、接触信号入力手段１５から渡された接触信号群を入力し、タッチの継続時間を識別して、この継続時間により要求された画面の階層レベルを判断する。このために、例えば、階層レベル１は接触時間 0秒を越え 0.5秒未満、階層レベル２は接触時間 0.5秒以上 1秒未満、階層レベル３は接触時間 1秒以上というように、接触時間から絶対的な階層レベルを指定するレベル指定ルールがあらかじめ設定される。
【００４２】
一般に、接触時間が長いほど詳細な情報、つまり、画面階層の下位の画面を意味する設定にしておく方が、一般に受け入れ易い。この例では、画面階層は３階層であるから、一瞬のタッチ、一呼吸のタッチ、それより長いタッチにこの３階層を割り当てるのが妥当と考えられる。
【００４３】
以下、階層レベル１のプラントの警報全体表示画面３１から、階層レベル２の給水系警報表示画面３３に接続される階層レベル３の画面を選択する場合の動作を、図９〜図１１を参照して説明する。なお、図９は本実施例の主要な画面選択の作用を、図１０はタッチスクリーン装置１３ａの接触信号群の発生にかかる動作を、図１１は接触信号入力手段１５の接触信号群の入力にかかる動作を示している。
【００４４】
プラントで異常が起こり、警報が発生したとする。その最初に発生した警報が「 RFP-T Aトリップ」であったとする。一般に、プラントで異常が起こった場合に発生する警報の数は１個だけでなく複数であることが多い。したがって、この例でも、「 RFP-T Aトリップ」以外にも複数の警報が給水系の警報の中で後から発生したものとする。
【００４５】
画面選択手段１７は、発生している警報の発生時刻、順序を記憶する（図９のステップ２００）。
【００４６】
このとき画面Ａとして、図５に示すようなプラント警報全体表示画面３１を表示中であり、この画面の中の「給水系」の表示項目の領域に、 2秒のタッチがなされたものとする。
【００４７】
タッチスクリーン装置１３ａは表面にタッチがあったときに、図１０に示すように、接触の種別とタッチされた位置座標とからなる接触データをプロセス計算機４１に伝送する（ステップ３００〜３０２）。そのタッチが持続している場合には、0.05秒周期で接触の種別を「接触保持」とし、接触位置座標を伝送し続けるものとする（ステップ３０３−３０４−３０１−３０２）。接触の種別は、１：接触開始、２：接触保持、３：接触終了の３種とし、 0.1秒未満の接触では接触開始と接触終了の２組の接触データが連続して伝送されるものとする（ステップ３００〜３０６）。接触位置座標は画面左上を原点とし、右方向にＸ座標、下方向にＹ座標をとり、単位はmmとする。伝送される接触データの組を、（接触の種別、Ｘ座標、Ｙ座標）の形式で表現することにする。
【００４８】
プロセス計算機４１側では、接触信号入力手段１５により、図１１に示すように、タッチスクリーン装置１３ａがステップ３０２（図１０）において周期的に出力する接触データを入力して（ステップ４０１）、順次記憶する（ステップ４０２）。タッチスクリーン装置１３ａからステップ３０６（図１０）において出力される接触終了の接触データを入力すると、記憶したすべての接触データに加えて接触信号群として画面選択手段１７に出力する（ステップ４０３）。
【００４９】
画面選択手段１７は、タッチスクリーン装置１３ａから接触信号入力手段１５を介して接触の種別が「開始」の接触データから「終了」の接触データまでの接触信号群を入力し（ステップ２０１）、その接触データ数をカウントして（ステップ２０２）、画面の選択に用いる。
【００５０】
「給水系」の表示項目の領域に、 2秒のタッチがなされたとき、例えば、最初に（1,30,80)、次に（2,30,80)の接触データ39組、最後に（3,30,80)の信号群がタッチスクリーン装置１３ａからプロセス計算機４１へ伝送される。。
【００５１】
画面選択手段１７は、これらの信号群の重心座標を計算する（ステップ２０３）。信号群の接触データの数をｎ、ｉ番目の接触データのＸ座標、Ｙ座標データを各々Ｘi 、Ｙi （ｉ＝１、２、…ｎ）とすれば、重心座標（Ｘc 、Ｙc ）＝((Ｘ1 、Ｙ1 ）＋（Ｘ2 、Ｙ2 ）＋…＋（Ｘn 、Ｙn ))／ｎである。この例では、接触データはすべて同じ座標なので、重心座標（Ｘc 、Ｙc ）は（30,80)である。
【００５２】
ついで、表示画面Ａの各表示項目の領域とその重心座標とを比較し、タッチされたのは「給水系」の領域であると判断する（ステップ２０４）。なお、「給水系」の領域は、(10,60),(10,90),(50,90),(50,60) の４点で囲まれる長方形の領域であるとし、画面要素の「給水系」には、プラント警報全体表示画面３１の下位階層画面の図６に例示する給水系警報表示画面３３が対応づけられているものとする。画面選択手段１７は表示すべき画面を選択するにあたって、接触位置座標から求めた給水系警報表示画面３３を階層の枝として記憶する（ステップ２０５）。
【００５３】
さらに画面選択手段１７は、接触信号群に含まれる接触データの数から接触時間を計算する（ステップ２０６）。本実施例は、0.05秒周期で接触データを発生させるため、この例では41組の接触データが含まれていることから、0.05×(41-1)=2によって、 2秒以上2.05秒未満のタッチであったことが計算される。 1秒以上のタッチは、階層レベル３の画面と決められているため、表示すべき画面は階層レベル３の画面であることを判断する（ステップ２０７）。
【００５４】
現在表示しているプラント警報全体表示画面３１は階層レベル１であり、指定された画面は現在の画面より下位画面であることを画面選択手段１７が判定すると（ステップ２０８）、タッチで指定された「給水系」の画面要素に対応する給水系警報表示画面３３が階層レベル２であり、指定された階層レベル３の画面にはまだ到達していないことから、給水系警報表示画面３３のすべての下位階層画面について検索し、警報の発生順序の記憶を参照して、最初に発生した「RFP-T A トリップ」の警報の情報に関係するただ１つの画面「 RFP-T A/Bトリップ警報」を選択する（ステップ２０９、２１０）。
【００５５】
このように選択した画面名を表示手段１９に通知し、表示要求を行う（ステップ２１１）。
【００５６】
表示手段１９は、通知された画面名「 RFP-T A/Bトリップ警報」に対応する RFP-T A/Bトリップ警報画面３５を、図７に示すようにＣＲＴ表示装置１１ａに表示する。
【００５７】
以上の説明からも明らかなように、本実施例によれば、表示中の監視画面へのタッチ位置とタッチ継続時間により、階層構造に体系化されている監視画面群から所望の画面を一回の操作で表示させることができる。
【００５８】
次に、本発明のプロセス監視用画面選択装置の第２の実施例について説明する。なお、以下に示すべての実施例は図８に示す装置構成とし、上記警報監視画面を例にとって説明する。
【００５９】
第２の実施例の構成においては、画面選択手段１７は、タッチスクリーン装置１３ａからの継続した接触データの集まりである接触信号群を接触信号入力手段１５を介して入力し、第１の実施例とは異なって接触の開始点と終了点の距離で要求された画面の階層レベルを判断する。
【００６０】
運転員は、選択したい画面要素に指でタッチし、接触を保持したまま接触点を移動させ、下位階層を指定したいときには移動距離を長くし、上位階層を指定したいときには移動距離を短くする。絶対的な階層レベル指定ルールとして、例えば、座標の単位mmで、レベル１の階層は、開始点と終了点の距離が 0mmを越え20mm未満、レベル２の階層は20mm以上50mm未満、レベル３の階層は50mm以上とする。図５に例示する画面３１では、画面要素の長方形領域は縦約30mm、横約40mmであるから、20mmは画面要素の横方向の約半分の長さ、50mmは画面要素の対角線程度の長さとなる。
【００６１】
以下、第１の実施例と同様に階層レベル１のプラント警報全体表示画面３１を表示している際、「給水系警報表示」に関連する階層レベル３の画面を選択する場合を例にとって第２の実施例の作用を図１２に示すフローチャートに従って説明する。
【００６２】
プラントで異常が起こり、警報が発生すると、画面選択手段１７は発生した警報と時刻を記憶する（ステップ５０１）。ここで、最初に発生した警報が「 RFP-T Aトリップ」であったとし、プラント警報全体表示画面３１を表示中に、この画面の中の「給水系」の表示項目の領域を開始点とし、終了点がそこから60mmの距離であるような画面タッチが運転員によってなされたものとする。これにより、第１の実施例と同様な接触データの表現を行うと、(1,30,80)(2,33,90)(2,30,100)(2,27,100)(2,25,120)(2,27,130)(2,29,130)(3,30,140)の接触信号群がプロセス計算機４１に入力される。
【００６３】
画面選択手段１７はこれらの接触信号群を接触信号入力手段１５を介して入力する（ステップ５０２）と、まず開始点接触データを検索し（ステップ５０３）、開始点座標を判断する（ステップ５０４）。この場合は、接触データの第１要素が１（接触開始）である最初の接触データであり、そのＸ、Ｙ座標は(30,80) である。第１の実施例と同様に（Ｘc 、Ｙc ）＝(30,80) として、表示画面の各図形の領域とその始点座標とを比較し（ステップ５０５）、「給水系」の領域であることを判断する（ステップ５０６）。
【００６４】
また、画面選択手段１７は、接触信号群から接触終了の接触データ、すなわち、接触種別３の接触データ(3,30,140)を選び出し、終了点座標を判断する（ステップ５０７）。この場合は、(30,140)であり、始点座標(30,80) と終点座標(30,140)との距離{(30-30)2 ＋(140-80)2 ｝1/2 ＝60を計算し、接触信号の開始点と終了点の距離が60mmであることを求め（ステップ５０８）、階層レベル３の画面であることを判断する（ステップ５０９）。
【００６５】
以降の処理は、第１の実施例と同様に行われ、 RFP-T A/Bトリップ警報画面３５が選択されて、ＣＲＴ表示装置１１ａに表示される。
【００６６】
以上の説明からも明らかなように、本実施例によれば、表示中の監視画面へのタッチ開始位置とその開始位置から終了位置までのタッチ移動距離により、階層構造に体系化されている監視画面群から所望の画面を一回の操作で表示させることができる。
【００６７】
次に、本発明のプロセス監視用画面選択装置の第３の実施例について説明する。
【００６８】
第３の実施例の構成においては、画面選択手段１７は、タッチスクリーン装置１３ａからの接触信号を接触信号入力手段１５を介して入力し、一定時間内の接触の回数で要求された画面の階層レベルを判断する。
【００６９】
運転員は、下位階層の画面ほど同じ要素を多数回接触して指定を行う。例えば、回数による絶対的な階層レベル指定ルールとして、レベル１の階層は、 1秒以内に１回、レベル２の階層は 1秒以内に２回、レベル３の指定は 1秒以内に３回とする。
【００７０】
以下、第１、第２の実施例と同様に階層レベル１のプラント警報全体表示画面３１を表示している際、「給水系警報表示」に関連する階層レベル３の画面を選択する場合を例にとって第３の実施例の作用を図１３に示すフローチャートに従って説明する。
【００７１】
プラント警報全体表示画面３１表示中に、この画面の中の「給水系」の表示項目の領域を 1秒間に３回タッチしたものとする。第１の実施例と同じ形式で記述すると、(1,30,80)(3,30,80)(1,35,75)(3,35,75)(1,25,85)(3,25,85)の接触信号群がタッチスクリーン装置１３ａから発生したものとする。
【００７２】
タッチが行われるごとに接触信号入力手段１５を介して接触信号群がプロセス計算機４１に入力され、画面選択手段１７はこれらの信号発生時刻を記憶し（ステップ６０１）、最初の接触データの入力から 1秒間までは、次の接触データの入力を待つ（ステップ６０２〜６０４）。この間に接触データの入力があれば接触信号群に追加する。
【００７３】
上記６組の接触データが入力されるため、これら６組の接触データの重心を計算すると、（Ｘc 、Ｙc ）＝(30,80) となる（ステップ６０５）。第１の実施例と同じく表示画面Ａの各表示項目の領域とこの重心座標とを比較し、「給水系」の領域であることを判断する（ステップ６０６、６０７）。
【００７４】
また、画面選択手段１７は６組の接触データのうち、接触種別１（接触開始）のものが３個あるため３回のタッチであることを計数し（ステップ６０８）、階層レベル３の画面であることを判断する（ステップ６０９）。以後、第１の実施例と同様の処理により、 RFP-T A/Bトリップ警報画面３５を選択し、表示手段１９を介してＣＲＴ表示装置１１ａに表示する。
【００７５】
画面選択手段１７はその後、接触信号発生の記憶を消去して初期化し、次に接触があったときに最初の接触であると判断できるようにする。
【００７６】
以上の説明からも明らかなように、本実施例によれば、表示中の監視画面へのタッチ位置とそのタッチ回数により、階層構造に体系化されている監視画面群から所望の画面を一度の操作で表示させることができる。
【００７７】
次に、本発明のプロセス監視用画面選択装置の第４の実施例について説明する。
【００７８】
第４の実施例の構成においては、画面選択手段１７は、タッチスクリーン装置１３ａからの継続した接触信号群を入力し、接触信号群のｘ、ｙ座標の各々の最大値と最小値で作られる矩形の面積で要求された画面の階層レベルを判断する。例えば、座標の単位をmmとして、レベル１の階層を 0mm2 を越え 200mm2 未満、レベル２の階層を接触時間 200mm2 以上1000mm2 未満、レベル３の階層を1000mm2 以上とするように、矩形の面積によりそれぞれ絶対的な階層レベルを指定するルールを設けることができる。
【００７９】
以下、第１〜３の実施例と同様に、階層レベル１のプラント警報全体表示画面３１から、「給水系警報表示」に関連する階層レベル３の画面を選択する場合を例にとって、第４の実施例の作用を図１４に示すフローチャートに従って説明する。
【００８０】
プラント警報全体表示画面３１表示中に、この画面の中の「給水系」の表示項目の領域を中心とし、ｘ、ｙ座標の各々の最大値と最小値で作られる矩形の面積が1600mm2 であるようなタッチがなされたものとする。このとき、第１の実施例と同じ形式で記述すると、(1,20,90)(2,10,80)(2,20,70)(2,30,60)(2,40,70)(2,50,80)(2,40,90)(3,30,100) の接触信号群がタッチスクリーン装置１３ａからプロセス計算機４１に入力されたものとする。
【００８１】
画面選択手段１７は、上記８組の接触データからなる接触信号群を接触信号入力手段１５を介して入力する（ステップ７０１）と、第１の実施例と同じ重心座標計算により、重心のＸ、Ｙ座標（Ｘc 、Ｙc ）＝(30,80) を計算し（ステップ７０２）、この信号群の重心座標から第１の実施例と同様にして「給水系」の領域を抽出する（ステップ７０３、７０４）。
【００８２】
また、画面選択手段１７は接触信号群のＸ、Ｙ座標の各々の最大値と最小値を探しだす（ステップ７０５）。Ｘ座標に関しては、最大50、最小10、Ｙ座標に関しては最大100 、最小60が探しだされる。これら４つの座標値を組合せてできる(10,60)(10,100)(50,100)(50,60)を頂点とする長方形の面積を計算すると、(50-10) ×(100-60)=1600 となる（ステップ７０６）。1600mm2 に対応する階層レベルはレベル３であることを判断する（ステップ７０７）。以後、第１の実施例と同様にして、 RFP-T A/Bトリップ警報画面３５を選択し、表示手段１９を介してＣＲＴ表示装置１１ａに表示する。
【００８３】
以上の説明からも明らかなように、本実施例によれば、表示中の監視画面に対して表示したい画面に関連する表示項目へのタッチとそのタッチにより図形を描いてそのｘ座標およびｙ座標のそれぞれの最大値、最小値を組合わせて得られる４点を頂点とする矩形の面積を指定することにより、階層構造に体系化されている監視画面群から所望の画面を一度の操作で表示させることができる。
【００８４】
次に、本発明のプロセス監視用画面選択装置の第５の実施例を説明する。
【００８５】
第５の実施例の構成においては、タッチスクリーン装置１３ａは、タッチ位置を検出するとともに、そのタッチの押圧力（接触圧力）を検出し、タッチ位置座標および接触圧力を接触データにしてプロセス計算機４１に入力する。画面選択手段１７は、タッチスクリーン装置１３ａからの継続した接触信号群を入力し、要求された画面の階層レベルを接触信号群の中の最大接触圧力により判断する。ここでは、接触圧力の単位をhPa で測定し、接触圧力により絶対的な階層レベルを指定するものとし、強く接触するほど下位レベルの画面の指定とする。レベル１の階層は、接触圧力が0hPaを越え500hPa未満、レベル２の階層は接触圧力500hPa以上 2000hPa未満、レベル３の指定は 2000hPa以上とする。
【００８６】
以下、第１〜４の実施例と同様に、階層レベル１のプラント警報全体表示画面３１から、「給水系警報表示」に関連する階層レベル３の画面を選択する場合を例にとって、第５の実施例の作用を図１５に示すフローチャートに従って説明する。なお、接触データの入力周期は第１の実施例と同じとして、１組の接触データを（接触種別，Ｘ座標，Ｙ座標，接触圧力）の形式で記述するものとする。
【００８７】
プラント警報全体表示画面３１表示中に、この画面の中の「給水系」の表示項目の領域に最大 3000hPaの圧力のタッチがなされたものとする。タッチスクリーン装置１３ａからプロセス計算機４１に入力される接触信号群は(1,30,80,100)(2,30,80,500)(2,30,80,1000)(2,30,80,2000)(2,30,80,3000)(2,30,80,1500)(2,30,80,500)(3,30,80,50) の８組の接触データであったとする。
【００８８】
画面選択手段１７は、タッチスクリーン装置１３ａからの上記接触信号群を接触信号入力手段１５を介して入力する（ステップ８０１）と、第１の実施例と同様に、重心座標（Ｘc 、Ｙc ）＝(30,80) を計算し（ステップ８０２）、この重心座標を含む表示項目の領域を検索して（ステップ８０３）、「給水系」の表示項目を抽出する（ステップ８０４）。
【００８９】
また、画面選択手段１７は、８組の接触データの各第４要素の接触圧力の最大値を探しだす（ステップ８０５）。最大接触圧力信号が 3000hPaであることから、第３レベルの画面であることを判断する（ステップ８０６）。以後、第１の実施例と同様にして、 RFP-T A/Bトリップ警報画面３５を選択し、表示手段１９を介してＣＲＴ表示装置１１ａに表示する。
【００９０】
以上の説明からも明らかなように、本実施例によれば、表示中の監視画面に対して表示したい画面に関連する表示項目へのタッチするとともに、そのタッチの押圧力を調節することにより、階層構造に体系化されている監視画面群から所望の画面を一度の操作で表示させることができる。
【００９１】
次に、本発明のプロセス監視用画面選択装置の第５の実施例を説明する。
【００９２】
第６の実施例の構成においては、画面選択手段１７は、相対的な階層レベル指定情報に基づいて階層レベルの判断を行う。
【００９３】
例えば、階層レベル指定情報としてタッチの継続時間を用いた場合、長い時間のタッチほど、相対的に下位レベルの階層の画面指定とすることができる。
【００９４】
ここでは、階層レベル指定ルールとして、上位へ２レベルの階層移動は接触時間 0秒を越え 0.3秒未満、上位１レベルの階層移動は接触時間 0.3秒以上 1秒未満、下位１レベルの階層移動は接触時間 1秒以上 1.7秒未満、下位２レベルの階層移動は接触時間 1.7秒以上と設定する。
【００９５】
次に、本発明のプロセス監視用画面選択装置の第６の実施例を説明する。
【００９６】
以下、第１〜５の実施例と同様に、階層レベル１のプラント警報全体表示画面３１から、「給水系警報表示」に関連する階層レベル３の画面を選択する場合を例にとって、第６の実施例の作用を図１６に示すフローチャートに従って説明する。
【００９７】
プラント警報全体表示画面３１表示中に、この画面の中の「給水系」の表示項目の領域に 2秒のタッチがなされたものとする。プロセス計算機４１に入力された接触信号群は第１の実施例で示したものと同じ４１組の接触データとする。
【００９８】
画面選択手段１７は、第１の実施例と同様に接触信号入力手段１５を介して接触信号群を入力し（ステップ９０１）、接触データ数４１をカウントして（ステップ９０２）、これらの信号群の重心座標（Ｘc 、Ｙc ）＝（30,80)を計算する（ステップ９０３）。この重心座標を含む表示項目の領域を検索することによって（ステップ９０４）、タッチ位置が「給水系」の領域であることを判断する
（ステップ９０５）。
【００９９】
ついで、第１の実施例と同様に、４１組の接触データが接触信号群として入力されたことで、画面選択手段１７はタッチの継続時間を 2秒と計算する（ステップ９０６）。ここで、 2秒のタッチが下位方向２レベルの移動に対応することを見つけだし（ステップ９０７）、現在の表示画面Ａが階層レベル１のものであることから1+2=3 により階層レベル３の画面指定であることを判断する（９０７）。以後、第１の実施例と同様にして、 RFP-T A/Bトリップ警報画面３５を選択し、表示手段１９を介してＣＲＴ表示装置１１ａに表示する。
【０１００】
以上の説明からも明らかなように、階層レベルの指定を表示中画面の階層レベルに対して相対的に指定する方法をとっても、階層レベルの絶対的指定と同様にして任意の階層レベルを指定することができ、表示中画面から所望の画面を容易に表示させることができる。
【０１０１】
なお、マウス、トラッカボールなどの位置指示入力装置によっても上記と同様の効果を持つプロセス監視用画面選択装置が実施可能であるが、これらの装置は信頼性が低く、操作のためにプロセス運転以外の習熟が要求される点において、本発明のプロセス監視用画面選択装置と同様の効果をもつことができない。
【０１０２】
【発明の効果】
上記したように、本発明によれば、階層構造の画面体系をもつプロセス監視画面の選択において、表示中画面の画面要素（表示項目）を運転員による直接タッチにより選択するとともに、階層構造の階層レベルをタッチ位置以外のタッチ継続時間等の手段で同時に指定することにより、表示中画面から任意の階層レベルの監視画面を一度の操作で容易に選択することができ、画面選択の効率化を実現し、プロセス運転の迅速化を図ることができる。
【図面の簡単な説明】
【図１】本発明にかかるプロセス監視用画面選択装置の構成を示すブロック図である。
【図２】階層構造を持つ画面体系を例示する図である。
【図３】本発明にかかるプロセス監視用画面選択装置の作用を示すフローチャートである。
【図４】プロセス警報監視画面の階層画面体系を例示する図である。
【図５】図４のプロセス警報監視画面における階層レベル１のプラント警報全体表示画面例を示す図である。
【図６】図４のプロセス警報監視画面における階層レベル２の給水系警報表示画面例を示す図である。
【図７】図４のプロセス警報監視画面における階層レベル３の RFP-T A/Bトリップ警報画面例を示す図である。
【図８】本発明の一実施例のプロセス監視用画面選択装置の構成を示すブロック図である。
【図９】本発明の第１の実施例における画面選択手段の作用を示すフローチャートである。
【図１０】本発明の第１の実施例におけるタッチスクリーン装置１３ａの作用を示すフローチャートである。
【図１１】本発明の第１の実施例における接触信号入力手段１５の作用を示すフローチャートである。
【図１２】本発明の第２の実施例における画面選択手段の作用を示すフローチャートである。
【図１３】本発明の第３の実施例における画面選択手段の作用を示すフローチャートである。
【図１４】本発明の第４の実施例における画面選択手段の作用を示すフローチャートである。
【図１５】本発明の第５の実施例における画面選択手段の作用を示すフローチャートである。
【図１６】本発明の第６の実施例における画面選択手段の作用を示すフローチャートである。
【符号の説明】
１１………表示装置、１１ａ………ＣＲＴ表示装置、１３………入力装置、１３ａ………タッチスクリーン装置、１５………接触信号入力手段、１７………画面選択手段、１９………表示手段、４１………プロセス計算機
【図１】
0003718245.tif 000002
【図２】
0003718245.tif 000003
【図３】
0003718245.tif 000004
【図４】
0003718245.tif 000005
【図５】
0003718245.tif 000006
【図６】
0003718245.tif 000007
【図７】
0003718245.tif 000008
【図８】
0003718245.tif 000009
【図９】
0003718245.tif 000010
【図１０】
0003718245.tif 000011
【図１１】
0003718245.tif 000012
【図１２】
0003718245.tif 000013
【図１３】
0003718245.tif 000014
【図１４】
0003718245.tif 000015
【図１５】
0003718245.tif 000016
【図１６】
0003718245.tif 000017